(57)【特許請求の範囲】
【請求項１】
電池により駆動すると共に、異常状態を検出した場合に警報出力して異常状態を報知する電池式ガス警報器であって、
電池切れの旨を示す文字を表示する液晶ディスプレイと、
周囲に検出対象となるガスが存在する場合にその濃度に応じた信号を出力するガスセンサと、
所定濃度以上の検出対象のガスが前記ガスセンサにより検知されると、ガス漏れと判断するガス漏れ判断部と、
前記電池の電圧が所定電圧以上である場合に前記液晶ディスプレイに黒いベタ表示をさせる表示制御部と、を備え、
前記液晶ディスプレイは、液晶背面に反射板を有して外部光により視認可能とさせる反射型タイプのものであって、前記反射板又は前記液晶と前記反射板との間に介在した介在部材に前記電池切れの旨を示す文字が印刷されている
ことを特徴とする電池式ガス警報器。
【請求項２】
前記電池切れの旨を示す文字は、前記電池の電圧が所定電圧未満となった場合に表示される
ことを特徴とする請求項１に記載の電池式ガス警報器。
【発明の詳細な説明】
【技術分野】
【０００１】
本発明は、電池式ガス警報器に関する。
【背景技術】
【０００２】
従来、液晶ディスプレイにより表示を行うガスメータが提案されている。このガスメータでは、電池により駆動すると共に、液晶ディスプレイにより積算流量値やガス止めなどの警告表示などが表示されるようになっている（例えば特許文献１参照）。
【先行技術文献】
【特許文献】
【０００３】
【特許文献１】特開２００６−２８４４０１号公報
【発明の概要】
【発明が解決しようとする課題】
【０００４】
ここで、特許文献１に記載のように、電池により駆動するものとして電池式警報器が存在する。このような電池式警報器は、電池電圧が低下するとＬＥＤ（Light Emitting Diode）の点滅やブザー音により使用者に電池切れの旨を所定期間報知している。
【０００５】
しかし、電池式警報器において、所定期間中に使用者が不在であった場合など、電池切れにより報知機能が停止してしまう場合がある。このような場合、使用者は電池切れであることに気付かず、そのまま警報器を使用してしまう可能性があった。
【０００６】
さらに、ＬＥＤやブザーによらず液晶ディスプレイを用いて電池電圧の低下を報知することも可能であるが、この場合にも使用者が報知に気付かず、そのまま警報器を使用してしまう可能性があった。
【０００７】
本発明はこのような従来の課題を解決するためになされたものであり、その発明の目的とするところは、電池切れのガス警報器が使用され続けてしまう可能性を低減することが可能な電池式ガス警報器を提供することにある。
【課題を解決するための手段】
【０００８】
本発明の電池式ガス警報器は、電池により駆動すると共に、異常状態を検出した場合に警報出力して異常状態を報知する電池式ガス警報器であって、電池切れの旨を示す文字を表示する液晶ディスプレイと、周囲に検出対象となるガスが存在する場合にその濃度に応じた信号を出力するガスセンサと、所定濃度以上の検出対象のガスがガスセンサにより検知されると、ガス漏れと判断するガス漏れ判断部と、前記電池の電圧が所定電圧以上である場合に前記液晶ディスプレイに黒いベタ表示をさせる表示制御部と、を備え、液晶ディスプレイは、液晶背面に反射板を有して外部光により視認可能とさせる反射型タイプのものであって、反射板又は液晶と反射板との間に介在した介在部材に電池切れの旨を示す文字が印刷されていることを特徴とする。
【０００９】
この電池式ガス警報器によれば、液晶ディスプレイは、反射板又は液晶と反射板との間に介在した介在部材に電池切れの旨を示す文字が印刷されている。このため、電池電圧が低下したり電池が切れたりして、画面が白く表示された場合には、電池切れの旨を示す印刷が視認可能となる。これにより、たとえ電池が切れたとしても、使用者には印刷が常時視認可能となり、電池切れのガス警報器が使用され続けてしまう可能性を低減することができる。
【００１０】
また、本発明の電池式ガス警報器において、電池切れの旨を示す文字は、電池の電圧が所定電圧未満となった場合に表示されることが好ましい。
【００１１】
この電池式ガス警報器によれば、電池切れの旨を示す文字は、電池の電圧が所定電圧未満となった場合に表示されるため、電圧が所定電圧以上のときには電池切れであることを隠すことができる。
【発明の効果】
【００１２】
本発明によれば、電池切れの警報器が使用され続けてしまう可能性を低減することが可能な電池式ガス警報器を提供することができる。
【図面の簡単な説明】
【００１３】
【図１】本発明の実施形態に係る電池式警報器を示す構成図である。
【図２】図１に示した液晶ディスプレイを示す一部破断拡大図である。
【図３】図１に示した液晶ディスプレイの外観図であって、（ａ）は正面図を示し、（ｂ）は側面図を示している。
【図４】図１に示した液晶ディスプレイの表示例を示す正面図であり、（ａ）は電池電圧が所定電圧以上のときの表示例を示し、（ｂ）は電池電圧が所定電圧未満のときの表示例を示している。
【発明を実施するための形態】
【００１４】
以下、本発明の好適な実施形態を図面に基づいて説明する。図１は、本発明の実施形態に係る電池式警報器を示す構成図である。図１に示すように、電池式警報器１は、ガスセンサ１０と、電池２０と、ＣＰＵ（Central Processing Unit）３０と、音声出力部４０と、液晶ディスプレイ５０とを備えている。この電池式警報器１は、電池２０により駆動する。なお、本実施形態ではガス警報器を電池式警報器１の一例として挙げるが、電池式警報器１はガス警報器に限らず火災警報器など他の警報器であってもよい。
【００１５】
ガスセンサ１０は、周囲に検出対象となるガスが存在する場合に、その濃度に応じた信号をＣＰＵに出力するものである。具体的にガスセンサ１０は、半導体式センサ、接触燃焼式センサ、及び電気化学式センサなど種々のものが用いられる。
【００１６】
ＣＰＵ３０は、電池式警報器１の全体を制御するものである。このＣＰＵ３０は、ガス漏れ判断部３１と、表示制御部３２とを備えている。ガス漏れ判断部３１は、所定濃度以上の検出対象のガスがガスセンサ１０により検知されると、ガス漏れが発生していると判断するものである。ガス漏れ判断部３１は、ガス漏れが発生していると判断すると、その旨の信号を音声出力部４０及び表示制御部３２に送信する。
【００１７】
音声出力部４０は、スピーカやブザーにより構成され、ガス漏れ判断部３１によりガス漏れが検知されてその旨の信号を入力すると、警報音を出力するものである。
【００１８】
表示制御部３２は、液晶ディスプレイ５０の表示を制御するものである。この表示制御部３２は、ガス漏れ判断部３１からガス漏れの旨を示す信号を入力すると、液晶ディスプレイ５０を制御してガス漏れの旨の表示を行う。また、表示制御部３２は、ガス漏れ警報の他に、正常動作を示す表示や、感度異常などの表示制御も行う。
【００１９】
液晶ディスプレイ５０は、表示のために液晶組成物を利用する表示装置であって、表示制御部３２の制御に応じて表示内容を変化させる。また、液晶ディスプレイ５０は、電池２０からの電圧により駆動される。すなわち、電池２０は液晶ディスプレイ５０の駆動用電源としても機能する。
【００２０】
図２は、図１に示した液晶ディスプレイ５０を示す一部破断拡大図である。図２に示すように、液晶ディスプレイ５０は、液晶背面に反射板５６を有して外部光により視認可能とさせる反射型タイプのものである。この液晶ディスプレイ５０は、具体的に使用者の視認側（表側）から第１偏光フィルター５１、第１ガラス基板５２、スペーサ５３、第２ガラス基板５４、第２偏光フィルター５５、及び反射板５６の順に積層されて構成されている。また、スペーサ５３は、第１透明電極層５３ａ、第１配向膜５３ｂ、液晶層５３ｃ、第２配向膜５３ｄ、及び第２透明電極層５３ｅの順に積層されて構成されている。
【００２１】
第１偏光フィルター５１は図２に示す第１方向に変更した光だけに限って通過させるフィルターである。第２偏光フィルター５５は図２に示す第２方向に偏光した光だけに限って通過させるフィルターである。第１ガラス基板５２及び第２ガラス基板５４は、第１透明電極５３ａ及び第２透明電極５３ｅからの電流が外部に漏れないようにするために設けられたものである。
【００２２】
スペーサ５３は、２枚のガラス基板５２，５４との間に一定距離を確保するものである。第１透明電極層５３ａ及び第２透明電極層５３ｅは、液晶ディスプレイ５０を駆動するための電極であって、表示の妨げにならないように透明度の高い材料が用いられている。第１配向膜５３ｂ及び第２配向膜５３ｄは、液晶分子を一定方向に並べるための膜であって、第１配向膜５３ｂは第１方向に液晶分子を並べるように溝が形成され、第２配向膜５３ｄは第２方向に液晶分子を並べるように溝が形成されている。
【００２３】
液晶層５３ｃは、液晶分子により形成された層である。反射板５６は、液晶ディスプレイ５０の視認側から入射した光を反射するものである。この反射板５６により液晶ディスプレイ５０はバックライトを不要としている。
【００２４】
このような液晶ディスプレイ５０では、液晶分子が配向膜５３ｂ，５３ｄに沿って並んでいる。このため、光は液晶分子に沿って捩れることとなり、偏光フィルター５１，５５を通過することとなる。これにより、液晶ディスプレイ５０は白色に表示されることとなる。一方、透明電極層５３ａ，５３ｅに電圧が印加されると、液晶分子が積層方向に並びを変えることとなる。このため、光は捩れることなく偏光フィルター５１，５５を通過しない。これにより、液晶ディスプレイ５０は黒色に表示されることとなる。特に液晶ディスプレイ５０は黒色部分を制御することにより、文字等の表示を行うこととなる。
【００２５】
図３は、図１に示した液晶ディスプレイ５０の外観図であって、（ａ）は正面図を示し、（ｂ）は側面図を示している。図３（ａ）に示すように、液晶ディスプレイ５０は、正面に各種表示を行う表示部５０ａが形成されており、下部から端子５０ｂが伸びている。この端子５０ｂは図２に示した透明電極５３ａ，５３ｅに電気的に接続されており、電池式警報器１は端子５０ｂを介して電圧を印加することで表示内容を制御する。
【００２６】
再度、図２を参照する。このような電池式警報器１において、液晶ディスプレイ５０の反射板５６には、電池切れの旨を示す文字が印刷されている。このため、電池電圧が低下したり電池２０が切れたりして、表示部５０ａが白く表示された場合には、電池切れの旨を示す印刷が視認可能となる。これにより、たとえ電池２０が切れたとしても、使用者には印刷が常時視認可能となり、電池切れの警報器１が使用され続けてしまう可能性を低減することとなる。
【００２７】
なお、印刷は反射板５６に形成されている場合に限らず、液晶層５３ｃと反射板５６との間に介在した介在部材５３，５４に電池切れの旨を示す文字が印刷されていてもよい。これによっても、同様に電池切れの警報器１が使用され続けてしまう可能性を低減するができるからである。
【００２８】
図４は、図１に示した液晶ディスプレイ５０の表示例を示す正面図であり、（ａ）は電池電圧が所定電圧以上のときの表示例を示し、（ｂ）は電池電圧が所定電圧未満のときの表示例を示している。
【００２９】
まず、図４（ａ）に示すように、電池電圧が所定電圧以上の場合、正常に駆動している。このため、表示制御部３２は、正常駆動を示す旨の制御を行い、液晶ディスプレイ５０はその旨の表示（例えば黒いベタ表示）を行う。
【００３０】
一方、電池電圧が所定電圧未満となった場合、表示部５０ａ上に黒い表示が無くなる。このため、光が透過することとなり、反射板５６に形成された電池切れの旨を示す印刷が視認可能となる。使用者は、この印刷を視認することにより電池切れの事実を知ることができる。
【００３１】
このようにして、本実施形態に係る電池式警報器１によれば、液晶ディスプレイ５０は、反射板５６に電池切れの旨を示す文字が印刷されている。このため、電池電圧が低下したり電池２０が切れたりして、画面が白く表示された場合には、電池切れの旨を示す印刷が視認可能となる。これにより、たとえ電池２０が切れたとしても、使用者には印刷が常時視認可能となり、電池切れの警報器１が使用され続けてしまう可能性を低減することができる。
【００３２】
また、電池切れの旨を示す文字は、電池２０の電圧が所定電圧以上となった場合は表示されず、電池２０の電圧が所定電圧未満となった場合は表示されるため、電圧が所定電圧以上のときには電池切れであることを隠すことができる。
【００３３】
以上、実施形態に基づき本発明を説明したが、本発明は上記実施形態に限られるものではなく、本発明の趣旨を逸脱しない範囲で、変更を加えてもよい。例えば、上記実施形態において電池切れの旨の印刷は反射板５６にされているが、これに限らず、液晶層５３ｃと反射板５６との間に介在される介在部材に印刷されていてもよい。
【００３４】
また、上記実施形態において図４に表示例を示したが、表示内容は図４に示すものに限らず、他の内容であってもよい。さらに、本実施形態では表示部５０ａの中央に大きく電池切れの旨の印刷がされているが、これに限らず、電池切れの旨は表示部５０ａの端（４隅や４辺付近）に印刷されていてもよい。印刷が光の反射や透過等を邪魔し難くなり、好適な表示を行うことができるからである。
【００３５】
さらに、本実施形態では電池切れの事実を、印刷を視認可能とすることにより使用者に報知しているが、これに加えて、電池電圧が所定電圧未満となった場合に、音声や表示により報知してもよい。
【符号の説明】
【００３６】
１…電池式警報器
１０…ガスセンサ
２０…電池
３０…ＣＰＵ
３１…ガス漏れ判断部
３２…表示制御部
４０…音声出力部
５０…液晶ディスプレイ
５０ａ…表示部
５０ｂ…端子
５１，５５…偏光フィルター
５２，５４…ガラス基板
５３…スペーサ
５３ａ，５３ｅ…透明電極層
５３ｂ，５３ｄ…配向膜
５３ｃ…液晶層
５６…反射板
【図１】
0005713636.tif 000002
【図２】
0005713636.tif 000003
【図３】
0005713636.tif 000004
【図４】
0005713636.tif 000005